(57)【要約】【課題】携帯していない物品が何であるかをユーザに通知することできる携帯品管理装置を提供する。【解決手段】ＩＣタグに記憶され該ＩＣタグを識別するＩＣタグ識別符号と該ＩＣタグ識別符号を有するＩＣタグが貼り付けられた物品の物品名とを対応付けて管理データとして記憶する管理データベースと、ＩＣタグに記憶されたＩＣタグ識別符号をＩＣタグから送信してもらう要求である要求信号を送信する検知電波送信部と、ＩＣタグから送信されるＩＣタグ識別符号を検出するＩＣタグ検出部と、ＩＣタグ検出部の検出結果と管理データベースに記憶されている管理データとに基づいて、ＩＣタグ検出部によって検出されなかったＩＣタグ識別符号を検索する携帯品管理部と、携帯品管理部によって検索されたＩＣタグ識別符号に対応する物品名を通知するアラーム部とを有する。【選択図】　図１
2004086718.tif 000002
【特許請求の範囲】
【請求項１】
ＩＣタグが取り付けられた物品を、携帯していないことをユーザに通知する携帯品管理システムにおける携帯品管理装置であって、
前記ＩＣタグに記憶され該ＩＣタグを識別するＩＣタグ識別符号と該ＩＣタグ識別符号を有するＩＣタグが貼り付けられた物品の物品名とを対応付けて管理データとして記憶する管理データベースと、
前記ＩＣタグ識別符号を前記ＩＣタグから送信してもらう要求である要求信号を送信する検知電波送信部と、
前記ＩＣタグから送信されるＩＣタグ識別符号を検出するＩＣタグ検出部と、
前記ＩＣタグ検出部の検出結果と前記管理データベースに記憶されている管理データとに基づいて、前記ＩＣタグ検出部によって検出されなかったＩＣタグ識別符号を検索する携帯品管理部と、
前記携帯品管理部によって検索されたＩＣタグ識別符号に対応する物品名を通知するアラーム部と、
を有することを特徴とする携帯品管理装置。
【請求項２】
前記ユーザが携帯しない物品に関するＩＣタグ識別符号と該ＩＣタグ識別符号を有するＩＣタグが取り付けられた物品の物品名とを対応付けて未管理データとして記憶する未管理データベースと、
前記アラーム部によって物品名が通知され、不携帯指示ボタンが押下された場合に、前記通知された管理データを前記管理データベースから削除し前記未管理データベースに記憶する登録処理部とを有し、
前記携帯品管理部は、検出されなかったＩＣタグ識別符号が前記管理データベースから削除された場合に、前記アラーム部による通知を停止させる
ことを特徴とする請求項１記載の携帯品管理装置。
【請求項３】
物品に取り付けられ、要求に応じてＩＣタグを識別するＩＣタグ識別符号を送信するＩＣタグと、前記ＩＣタグが取りつけられた物品を携帯していないことをユーザに通知する携帯品管理装置とによって構成される携帯品管理システムであって、
前記形態管理装置は、
前記ＩＣタグに記憶され該ＩＣタグを識別するＩＣタグ識別符号と該ＩＣタグ識別符号を有するＩＣタグが貼り付けられた物品の物品名とを対応付けて管理データとして記憶する管理データベースと、
前記ＩＣタグ識別符号を前記ＩＣタグから送信してもらう要求である要求信号を送信する検知電波送信部と、
前記ＩＣタグから送信されるＩＣタグ識別符号を検出するＩＣタグ検出部と、
前記ＩＣタグ検出部の検出結果と前記管理データベースに記憶されている管理データとに基づいて、前記ＩＣタグ検出部によって検出されなかったＩＣタグ識別符号を検出する携帯品管理部と、
前記携帯品管理部によって検出されたＩＣタグ識別符号に対応する物品名を通知するアラーム部と、
を有することを特徴とする携帯品管理システム。
【請求項４】
ＩＣタグが取り付けられた物品を、携帯していないことをユーザに通知する携帯品管理システムに用いられる携帯品管理方法であって、
前記ＩＣタグ識別符号を前記ＩＣタグから送信してもらう要求である送信要求をし、
前記ＩＣタグから送信されるＩＣタグ識別符号を検出し、
前記ＩＣタグ識別符号を検出した検出結果と前記ＩＣタグ識別符号と該ＩＣタグ識別符号を有するＩＣタグが貼り付けられた物品の物品名とを対応付けて記憶された管理データとに基づいて、検出されなかったＩＣタグ識別符号を検出し、
検出されなかったＩＣタグ識別符号に対応する物品名を管理データから読み出して通知する
ことを特徴とする携帯品管理方法。
【請求項５】
ＩＣタグが取り付けられた物品を、携帯していないことをユーザに通知する携帯品管理システムに用いられる携帯品管理プログラムであって、
前記ＩＣタグ識別符号を前記ＩＣタグから送信してもらう要求である送信要求をするステップと、
前記ＩＣタグから送信されるＩＣタグ識別符号を検出するステップと、
前記ＩＣタグ識別符号を検出した検出結果と前記ＩＣタグ識別符号と該ＩＣタグ識別符号を有するＩＣタグが貼り付けられた物品の物品名とを対応付けて記憶された管理データとに基づいて、検出されなかったＩＣタグ識別符号を検出するステップと、
検出されなかったＩＣタグ識別符号に対応する物品名を管理データから読み出して通知するステップと
をコンピュータに実行させるための携帯品管理プログラム。
【発明の詳細な説明】
【０００１】
【発明の属する技術分野】
この発明は、ＩＣタグが取り付けられた物品を、携帯していないことをユーザに通知する携帯品管理装置、携帯品管理システム、携帯品管理方法、携帯品管理プログラムに関するものである。
【０００２】
【従来の技術】
従来から、ＩＣタグがリーダの検出領域内に入った場合にアラームを鳴らし、報知するシステムが利用されている。例えば、万引き防止システムなどである。この技術を応用し、ＩＣタグがリーダから離れ、タグを検出できなくなったらアラームを鳴らして知らせることにより、忘れ物を報知するシステムが考えられる。具体的には、普段持ち歩く物（カバン、傘、財布、免許証など）にＩＣタグを貼り付けておき、外出する際に、これらの物品を携帯するとともにリーダを携帯する。そして、カバン、傘、財布、免許証などのうち、いずれか１つまたは複数の忘れ物があることをユーザは把握でき、必要な物を家に忘れてきてしまうことを防止することができる。
【０００３】
【発明が解決しようとする課題】
しかしながら、上述した忘れ物防止システムによれば、ＩＣタグがＩＣタグ検出領域内にあるか否かを検出しているので、忘れ物はあるものの、何を忘れたのか把握することができない。例えば、ユーザが自分の持ち物としてカバン、傘、財布、免許証を管理しようと考えている場合に、どれか１つの物がリーダの検知範囲外に出てしまった場合には、アラームが報知されるだけであり、何を置き忘れたのかユーザは把握することができない。
また、今日は免許証を家に置いておきたいと考えていても、免許証が検知範囲外に出た瞬間にアラームが鳴ってしまう。この場合、アラームが鳴ることを防ぐためには、免許証からＩＣタグを外し、ＩＣタグのみ持ち歩く必要があり、手間がかかってしまうという問題点がある。
【０００４】
本発明は、このような事情に鑑みてなされたもので、その目的は、携帯していない物品が何であるかをユーザに通知することできる携帯品管理装置、携帯品管理システム、携帯品管理方法、携帯品管理プログラムを提供することにある。
また、本発明は、携帯する必要がない物品からＩＣタグを取り外すことなく携帯品を管理することができる携帯品管理装置、携帯品管理システム、携帯品管理方法、携帯品管理プログラムを提供することにある。
【０００５】
【課題を解決するための手段】
上記目的を達成するために、本発明は、ＩＣタグが取り付けられた物品を、携帯していないことをユーザに通知する携帯品管理システムにおける携帯品管理装置であって、前記ＩＣタグに記憶され該ＩＣタグを識別するＩＣタグ識別符号と該ＩＣタグ識別符号を有するＩＣタグが貼り付けられた物品の物品名とを対応付けて管理データとして記憶する管理データベースと、前記ＩＣタグ識別符号を前記ＩＣタグから送信してもらう要求である要求信号を送信する検知電波送信部と、前記ＩＣタグから送信されるＩＣタグ識別符号を検出するＩＣタグ検出部と、前記ＩＣタグ検出部の検出結果と前記管理データベースに記憶されている管理データとに基づいて、前記ＩＣタグ検出部によって検出されなかったＩＣタグ識別符号を検索する携帯品管理部と、前記携帯品管理部によって検索されたＩＣタグ識別符号に対応する物品名を通知するアラーム部と、を有することを特徴とする。
【０００６】
また、本発明は、上述の携帯品管理装置において、前記ユーザが携帯しない物品に関するＩＣタグ識別符号と該ＩＣタグ識別符号を有するＩＣタグが取り付けられた物品の物品名とを対応付けて未管理データとして記憶する未管理データベースと、前記アラーム部によって物品名が通知され、不携帯指示ボタンが押下された場合に、前記通知された管理データを前記管理データベースから削除し前記未管理データベースに記憶する登録処理部とを有し、前記携帯品管理部は、検出されなかったＩＣタグ識別符号が前記管理データベースから削除された場合に、前記アラーム部による通知を停止させることを特徴とする。
【０００７】
また、本発明は、物品に取り付けられ、要求に応じてＩＣタグを識別するＩＣタグ識別符号を送信するＩＣタグと、前記ＩＣタグが取りつけられた物品を携帯していないことをユーザに通知する携帯品管理装置とによって構成される携帯品管理システムであって、前記形態管理装置は、前記ＩＣタグに記憶され該ＩＣタグを識別するＩＣタグ識別符号と該ＩＣタグ識別符号を有するＩＣタグが貼り付けられた物品の物品名とを対応付けて管理データとして記憶する管理データベースと、前記ＩＣタグ識別符号を前記ＩＣタグから送信してもらう要求である要求信号を送信する検知電波送信部と、前記ＩＣタグから送信されるＩＣタグ識別符号を検出するＩＣタグ検出部と、前記ＩＣタグ検出部の検出結果と前記管理データベースに記憶されている管理データとに基づいて、前記ＩＣタグ検出部によって検出されなかったＩＣタグ識別符号を検出する携帯品管理部と、前記携帯品管理部によって検出されたＩＣタグ識別符号に対応する物品名を通知するアラーム部と、を有することを特徴とする。
【０００８】
また、本発明は、ＩＣタグが取り付けられた物品を、携帯していないことをユーザに通知する携帯品管理システムに用いられる携帯品管理方法であって、前記ＩＣタグ識別符号を前記ＩＣタグから送信してもらう要求である送信要求をし、前記ＩＣタグから送信されるＩＣタグ識別符号を検出し、前記ＩＣタグ識別符号を検出した検出結果と前記ＩＣタグ識別符号と該ＩＣタグ識別符号を有するＩＣタグが貼り付けられた物品の物品名とを対応付けて記憶された管理データとに基づいて、検出されなかったＩＣタグ識別符号を検出し、検出されなかったＩＣタグ識別符号に対応する物品名を管理データから読み出して通知することを特徴とする。
【０００９】
また、本発明は、ＩＣタグが取り付けられた物品を、携帯していないことをユーザに通知する携帯品管理システムに用いられる携帯品管理プログラムであって、前記ＩＣタグ識別符号を前記ＩＣタグから送信してもらう要求である送信要求をするステップと、前記ＩＣタグから送信されるＩＣタグ識別符号を検出するステップと、前記ＩＣタグ識別符号を検出した検出結果と前記ＩＣタグ識別符号と該ＩＣタグ識別符号を有するＩＣタグが貼り付けられた物品の物品名とを対応付けて記憶された管理データとに基づいて、検出されなかったＩＣタグ識別符号を検出するステップと、検出されなかったＩＣタグ識別符号に対応する物品名を管理データから読み出して通知するステップとをコンピュータに実行させることを特徴とする。
【００１０】
【発明の実施の形態】
以下、本発明の一実施形態による携帯品管理システムを図面を参照して説明する。図１は、この発明の一実施形態による携帯品管理装置を適用した携帯品管理システムの構成を示す概略ブロック図である。
この図において、携帯品管理システムは、携帯品管理装置１とＩＣタグ１００とによって構成される。
ＩＣタグ１００は、複数存在し、各々がＩＣタグを識別するためのＩＣタグ識別符号を予め記憶しており、１つの物品に１つのＩＣタグ１００が取り付けられる。このＩＣタグ１００は、携帯電話、財布、定期、傘、免許証など、ユーザが所有する物品に１つずつ取り付けられる。
携帯品管理装置１は、物品を携帯しているか否かを管理するためのものであり、物品を携帯しているか否かを管理する場合に、常にユーザに携帯されるものである。この携帯品管理装置１において、通信部１０は、所定の時間ごとにＩＣタグ識別符号をＩＣタグ１００から送信させるための要求信号を無線によって送信する検知電波送信部１１と、ＩＣタグ１００に記憶されたＩＣタグ識別符号を検出するＩＣタグ検出部１２とによって構成される。
【００１１】
管理データベース２０は、ＩＣタグ識別符号と該ＩＣタグ識別符号を有するＩＣタグが貼り付けられた物品名とを対応付けて管理データとして記憶する。この管理データベース２０には、ユーザが携帯する物品に関して管理データが記憶される。未管理データベース３０は、ユーザが携帯しない物品に関するＩＣタグ識別符号と該ＩＣタグ識別符号を有するＩＣタグが取り付けられた物品名とを対応付けて未管理データとして記憶する。
不携帯指示ボタン４０は、アラーム発生中の物品をユーザが携帯しないことを携帯品管理部５０に通知する。携帯指示ボタン４１は、アラーム発生中の物品をユーザが携帯することを携帯品管理部５０に通知する。物品名入力部４２は、物品名を入力するためのテンキーや文字入力キーである。モード設定部４３は、物品を携帯品管理装置１に登録する登録モードあるいは携帯品を携帯しているか否かを管理する携帯品管理モードを設定する指示を入力する。
【００１２】
携帯品管理部５０は、ＩＣタグ検出部１２の検出結果と管理データベース２０に記憶されている管理データとに基づいて、ＩＣタグ検出部１２によって検出されなかったＩＣタグ識別符号を検索する。また、携帯品管理部５０は、アラーム部６０によって物品名が通知され、不携帯指示ボタン４０が押下された場合に、アラーム発生中の物品に関する管理データを管理データベース２０から削除し未管理データベース３０に記憶する登録処理部５１を有する。
【００１３】
また、登録処理部５１は、アラーム部６０によって物品名が通知され、携帯指示ボタン４１が押下された場合に、アラーム発生中の物品に関する管理データを未管理データベース３０から削除し管理データベース２０に記憶する。また、登録処理部５１は、物品名入力部４２からの指示に応じて、管理データベース２０または未管理データベース３０に物品名とＩＣタグ識別符号とを対応付けて記憶する。
アラーム部６０は、携帯品管理部５０によって検索されたＩＣタグ識別符号に対応する物品名を管理データベース２０から読み出し、アラーム音を放音するとともに、表示装置によって物品名を表示する。
【００１４】
次に、図１の構成における携帯品管理システムの動作について図２のフローチャートを用いて説明する。ここでは、タグ１００が携帯するか否かを管理する対象となる物品に、ユーザによって取り付けられるとともに、携帯品管理装置１がユーザによって携帯される。
１）登録モード
まず、携帯品管理装置１の電源が投入され、ユーザによってモード設定部４３から登録モードが指示されると、検知電波送信部１１は、所定の時間毎に要求信号を無線によって送信する（ステップＳ１）。タグ１００が取り付けられた物品がユーザによって携帯品管理装置１に近づけられ、要求信号を受信すると（ステップＳ２）、この物品に取り付けられたＩＣタグ１００は、この要求信号に応じて、ＩＣタグ１００に記憶されたＩＣタグ識別符号を携帯品管理装置１に送信する（ステップＳ３）。携帯品管理装置１のＩＣタグ検出部１２は、ＩＣタグ１００から送信されたＩＣタグ識別符号を受信し（ステップＳ４）、携帯品管理部５０に出力する。携帯品管理部５０は、アラーム部６０によって、ＩＣタグ識別符号を受信したことを通知する登録要求アラームを放音する（ステップＳ５）。
【００１５】
次に、携帯品管理部５０は、この受信したＩＣタグ識別符号に対応する物品を管理対象とするか否かの指示の入力を促すための情報をアラーム部６０の表示装置によって表示する。ユーザによって不携帯指示ボタン４０が押下され、物品を管理しないことが通知されると、携帯品管理部５０は、ステップＳ２３に移行し、アラームの放音を停止する。そして、ステップＳ２４に移行するが、ここでは、登録モードであるので、ステップＳ２４は実行されず、ステップＳ１に移行する。
【００１６】
一方、ユーザによって携帯指示ボタン４１が押下され、物品を管理することが通知されると、携帯品管理部５０は、未管理データベース３０にＩＣタグ検出部１２から出力されたＩＣタグ識別符号が登録されているか否かを検索する（ステップＳ７）。登録されていれば（ステップＳ８−ＹＥＳ）、未管理データベース３０に記憶された未管理データを管理データとして管理データベース２０に記憶した後、未管理データベース３０から削除する。そして、ユーザから登録モードが指示された場合、ステップＳ１に移行し、指示されなければ、登録モードを終了し、ステップＳ１３に移行する。このステップＳ１３以降の処理については、携帯品管理モードとして後述する。
【００１７】
ステップＳ８において、未管理データベース３０にＩＣタグ識別符号が記憶されていない場合（ステップＳ８−ＮＯ）、携帯品管理部５０は、物品名の入力を促すための情報をアラーム部６０の表示装置によって表示し、ユーザによって物品名入力部４２から物品名が入力されると、この入力された物品名とＩＣタグ検出部１２から出力されたＩＣタグ識別符号とを対応付けて管理データとして管理データベース２０に記憶する。これにより、物品が管理データベース２０に登録され、携帯品管理装置１の管理下の物品となり（ステップＳ１２）、登録モードが終了する。登録モードが指示された場合は、ステップＳ１に移行する。
【００１８】
２）携帯品管理モード
登録モードが終了または携帯品管理モードが指示されると、携帯品管理装置１は、管理データベース２０に登録された物品が携帯品管理装置１と通信を行うことができる範囲内に存在するか否かを検出する携帯品管理モードに移行する。すなわち、携帯品管理装置１は、検知電波送信部１１によって要求信号を所定の時間ごとに送信し（ステップＳ１３）、ＩＣタグ識別符号が受信できたか否かを、所定の時間待機する（ステップＳ１４）。
タグ１００は、検知電波送信部１１から送信された要求信号を受信すると（ステップＳ１５）、この要求信号に応じてＩＣタグ識別符号を携帯品管理装置１に送信する（ステップＳ１６）
【００１９】
携帯品管理装置１は、所定の時間の待機中にＩＣタグ識別符号を受信できなかった場合（ステップＳ１７−ＹＥＳ）、ステップＳ２０に移行する。ステップＳ２０以降は後述する。
一方、ＩＣタグ識別情報を受信した場合（ステップＳ１７−ＮＯ）、受信したＩＣタグ識別符号と管理データベース２０に記憶された管理データのＩＣタグ識別符号とを照合し（ステップＳ１８）、管理データに登録されているＩＣタグ識別符号のうち、受信できなかったＩＣタグ識別符号があるか否かを検出する（ステップＳ１９）。受信できなかったＩＣタグ識別符号がないすなわち、管理データとして登録されているＩＣタグ識別符号のすべてを受信した場合は、ステップＳ１３に移行する。
【００２０】
一方、受信できなかったＩＣタグ識別符号がある場合、携帯品管理部５０は、アラーム音を放音し（ステップＳ２０）、受信できなかった物品名を特定するべく（ステップＳ２１）、ＩＣタグ識別情報に対応する物品名を管理データベース２０から読み出してアラーム部６０の表示装置に表示する（ステップＳ２２）。そして、ユーザによって不携帯指示ボタン４０が押下されると、携帯品管理部５０は、アラームが放音された物品についての管理データを未管理データベース３０に記憶し、管理データベース２０から削除する（ステップＳ２４）。これにより、アラームが放音された物品について携帯しない物品として未管理下の物品とされる（ステップＳ２５）。
【００２１】
なお、ステップＳ１９において、複数のＩＣタグ識別符号が検出された場合は、ステップＳ２０からステップＳ２４の処理を行い、それぞれの物品について携帯するか否かの指示を入力させるためのアラーム部４０の表示装置に表示し、ユーザから携帯するか否かの指示を入力してもらう。
なお、ユーザがアラームを解除して物品を取りに戻った場合は、ステップＳ１からステップＳ１１までの登録モードを実行して、再度管理データベース２０に登録することにより、引き続き管理下の物品として管理することが可能である。
【００２２】
また、上述の実施形態において、ステップＳ１３の要求信号を送信した場合において、未登録のＩＣタグ識別符号を受信あるいは、未管理データとして記憶されたＩＣタグ識別符号を受信した場合に、モード設定部４３からの指示にかかわらず、ステップＳ５に移行し、登録モードを実行するようにしてもよい。
【００２３】
また、以上説明したように、この実施形態によれば、登録モードによって管理する対象となる物品を登録しておき、携帯品管理モードによって管理する対象となる物品が携帯品管理装置１と通信を行うことができる範囲内にあるか否かを検出し、物品が通信範囲外にある場合に、携帯品管理装置１を携帯するユーザから物品が離れたことをユーザに通知するようにした。これにより、ユーザは、通知された物品を携帯する必要がある場合に、携帯すべき物品を自宅に忘れて外出してしまったことを把握し、物品を取りに戻ることができるとともに、通知された物品を携帯する必要がない場合に、携帯する必要がない物品からＩＣタグを取り外すことなくアラームを解除することができる。
【００２４】
また、上述した実施形態における携帯品管理システムは、ＩＣタグが取りつけられた物品が携帯品管理装置１の通信範囲外にあることを通知することができるので、ユーザが忘れ物をしたか否かを把握するために利用する以外に、携帯品を第三者に盗難された場合や、外出先で物品を置き忘れたか否かを把握する場合に利用することができる。
【００２５】
また、図１における検知電波送信部１１、ＩＣタグ検出部１２、不携帯指示ボタン４０、携帯指示ボタン４１、物品名入力部４２、モード設定部４３、携帯品管理部５０、登録処理部５１、アラーム部６０の機能を実現するためのプログラムをコンピュータ読み取り可能な記録媒体に記録して、この記録媒体に記録されたプログラムをコンピュータシステムに読み込ませ、実行することにより携帯品管理を行ってもよい。なお、ここでいう「コンピュータシステム」とは、ＯＳや周辺機器等のハードウェアを含むものとする。
【００２６】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００２７】
以上、この発明の実施形態を図面を参照して詳述してきたが、具体的な構成はこの実施形態に限られるものではなく、この発明の要旨を逸脱しない範囲の設計等も含まれる。
【００２８】
【発明の効果】
以上説明したように、この発明によれば、ＩＣタグに記憶されたＩＣタグ識別符号をＩＣタグから送信してもらう送信要求をし、ＩＣタグから送信されるＩＣタグ識別符号を検出し、ＩＣタグ識別符号を検出した検出結果とＩＣタグ識別符号と該ＩＣタグ識別符号を有するＩＣタグが貼り付けられた物品の物品名とを対応付けて記憶された管理データとに基づいて、検出されなかったＩＣタグ識別符号を検出し、検出されなかったＩＣタグ識別符号に対応する物品名を管理データから読み出して通知するようにしたので、携帯すべき物品を携帯していないことを物品名とともにユーザに通知するようにしたので、ユーザにとって、何を携帯していないかを簡単に把握し、必要に応じて物品を取りに戻ることができることが可能となる。
【００２９】
また、この発明によれば、アラーム部によって物品名が通知され、不携帯指示ボタンが押下された場合に、通知された管理データを管理データベースから削除し未管理データベースに記憶し、アラーム部による通知を停止させるようにしたので、アラームが通知された物品を携帯する必要がない場合に、携帯する必要がない物品からＩＣタグを取り外すことなくアラームを解除することができる効果が得られる。
【図面の簡単な説明】
【図１】この発明の一実施形態による携帯品管理装置を適用した携帯品管理システムの構成を示す概略ブロック図である。
【図２】図１の構成における携帯品管理システムの動作について説明するためのフローチャートである。
【符号の説明】
１　携帯品管理装置　　　　　　　　　　　１０　通信部
１１　検知電波送信部　　　　　　　　　　１２　ＩＣタグ検出部
２０　管理データベース　　　　　　　　　３０　未管理データベース
４０　不携帯指示ボタン　　　　　　　　　４１　携帯指示ボタン
４２　物品名入力部　　　　　　　　　　　４３　モード設定部
５０　携帯品管理部　　　　　　　　　　　５１　登録処理部
６０　アラーム部　　　　　　　　　　　　１００　ＩＣタグ
【図１】
2004086718.tif 000003
【図２】
2004086718.tif 000004